(57)【要約】DCI受信部は、第１TTI（長いTTI）の上り（UL）信号又は第１TTIよりもTTI長が短い第２TTI（sTTI）の上り信号の割当を指示する下り制御情報（DCI）を受信し、送信電力決定部は、第１TTIの上り信号及び第２TTIの上り信号の送信電力をそれぞれ決定し、送信部は、下り制御情報に基づいて、決定された送信電力で第１TTIの上り信号及び第２TTIの上り信号を送信する。送信電力決定部は、第１TTIの上り信号の送信開始よりも前に、第１TTIの区間（例えば、サブフレーム）内で送信される第２TTIの上り信号の割当を指示する下り制御情報の復号が完了した場合、第１TTI内における第２TTIの上り信号に対する所望の送信電力を確保する。
2018030069.tif 000002
【特許請求の範囲】
【請求項１】
第１TTI（Transmission Time Interval）の上り信号又は前記第１TTIよりもTTI長が短い第２TTIの上り信号の割当を指示する下り制御情報を受信する受信部と、
前記第１TTIの上り信号及び前記第２TTIの上り信号の送信電力をそれぞれ決定する送信電力決定部と、
前記下り制御情報に基づいて、前記決定された送信電力で前記第１TTIの上り信号及び前記第２TTIの上り信号を送信する送信部と、
を具備し、
前記送信電力決定部は、前記第１TTIの上り信号の送信開始よりも前に、当該第１TTIの区間内で送信される前記第２TTIの上り信号の割当を指示する前記下り制御情報の復号が完了した場合、当該第１TTI内における前記第２TTIの上り信号に対する所望の送信電力を確保する、
端末。
【請求項２】
前記送信電力決定部は、TA（Timing Advance）の値に基づいて、前記第２TTIの上り信号に対して送信電力を確保するか否かを判断する、
請求項１に記載の端末。
【請求項３】
前記送信電力決定部は、前記第１TTIの区間内に複数の前記第２TTIの上り信号の送信が発生する場合、前記複数の第２TTIの上り信号のうち、前記所望の送信電力が最も高い信号を基準として、前記複数の第２TTIの上り信号に対する送信電力を割り当てる、
請求項１に記載の端末。
【請求項４】
前記送信電力決定部は、前記第２TTIの上り信号に対して確保した送信電力を、前記第１TTIの区間で発生する前記第２TTIの他の上り信号に対して割り当てる、
請求項１に記載の端末。
【請求項５】
前記第２TTIの他の上り信号は、SR（Scheduling Request）である、
請求項４に記載の端末。
【請求項６】
第１TTI（Transmission Time Interval）の上り信号又は前記第１TTIよりもTTI長が短い第２TTIの上り信号の割当を指示する下り制御情報を受信する受信部と、
前記第１TTIの上り信号及び前記第２TTIの上り信号の送信電力をそれぞれ決定する送信電力決定部と、
前記下り制御情報に基づいて、前記決定された送信電力で前記第１TTIの上り信号及び前記第２TTIの上り信号を送信する送信部と、
を具備し、
前記送信電力決定部は、前記第１TTIの区間内で送信される前記第２TTIの上り信号の優先度が前記第１TTIの上り信号の優先度よりも高い場合、前記第１TTI内における前記第２TTIの上り信号に対する所望の送信電力を確保する、
端末。
【請求項７】
前記第１TTIの上り信号の優先度と前記第２TTIの上り信号の優先度とが同一の場合、前記送信電力決定部は、前記第１TTI内において前記第１TTIの上り信号に対して所望の送信電力を優先して割り当てる、
請求項６に記載の端末。
【請求項８】
第１TTI（Transmission Time Interval）の上り信号又は前記第１TTIよりもTTI長が短い第２TTIの上り信号の割当を指示する下り制御情報を受信する工程と、
前記第１TTIの上り信号及び前記第２TTIの上り信号の送信電力をそれぞれ決定する工程と、
前記下り制御情報に基づいて、前記決定された送信電力で前記第１TTIの上り信号及び前記第２TTIの上り信号を送信する工程と、
を有し、
前記第１TTIの上り信号の送信開始よりも前に、当該第１TTIの区間内で送信される前記第２TTIの上り信号の割当を指示する前記下り制御情報の復号が完了した場合、当該第１TTI内における前記第２TTIの上り信号に対する所望の送信電力を確保する、
通信方法。
【請求項９】
第１TTI（Transmission Time Interval）の上り信号又は前記第１TTIよりもTTI長が短い第２TTIの上り信号の割当を指示する下り制御情報を受信する工程と、
前記第１TTIの上り信号及び前記第２TTIの上り信号の送信電力をそれぞれ決定する工程と、
前記下り制御情報に基づいて、前記決定された送信電力で前記第１TTIの上り信号及び前記第２TTIの上り信号を送信する工程と、
を有し、
前記第１TTIの区間内で送信される前記第２TTIの上り信号の優先度が前記第１TTIの上り信号の優先度よりも高い場合、前記第１TTI内における前記第２TTIの上り信号に対する所望の送信電力を確保する、
通信方法。
【発明の詳細な説明】
【技術分野】
【０００１】
本開示は、端末及び通信方法に関する。
【背景技術】
【０００２】
近年、遅延時間の短縮（delay critical）が求められるアプリケーションの実現が考えられている。遅延時間の短縮が求められるアプリケーションの例として、車の自動運転、スマートグラスでの超リアリティアプリケーション、又は、機器間のコミュニケーションなどが挙げられる。【０００３】
3GPPでは、これらのアプリケーションを実現するために、パケットの遅延を低減するlatency reductionが検討されている（非特許文献１を参照）。Latency reductionでは、データを送受信する時間単位であるTTI(Transmission Time Interval)長を、0.5msecから1 symbolの間の長さに短縮することが考えられている。なお、従来のTTI長(TTI length)は1msecであり、サブフレームと呼ばれる単位と等しい。1subframeは2 slots（1 slotは0.5msec）で構成されている。1slotは、normal CP（Cyclic Prefix）の場合、7 symbolsで構成され、extended CPの場合は6 symbolsで構成される。例えば、短縮したTTI長が0.5msecの場合、1msecあたり2TTIが配置される。また、1slotを4 symbolsのTTIと、3 symbolsのTTIとに分割する場合、1msecあたり4TTIが配置される。また、TTI長が2symbolの場合、1msecあたり7TTIが配置される。【０００４】
TTI長を短縮することで、CQI（Channel Quality Indicator）報告の遅延を短くでき、CQI報告の頻度を多くできるので、CQI報告と実際の回線品質とのずれが少なくなるという利点がある。
【先行技術文献】
【非特許文献】
【０００５】
【非特許文献１】RP-150465, "New SI proposal: Study on Latency reduction techniques for LTE," Ericsson, Huawei, March 2015
【非特許文献２】3GPP TR 36.211 V13.0.0, “Physical channels and modulation (Release 13),” December 2015
【非特許文献３】R1-164923，"Simultaneous Transmission of UL Signals for Shortened TTI Operation," Nokia, Alcatel-Lucent Shanghai Bell, May 2016
【発明の概要】
【０００６】
例えば、TTI長の短縮は、LTE（Long Term Evolution）を拡張するシステムのみならず、New RAT（Radio Access Technology）と呼ばれる新しいフレームフォーマットで実現されるシステムにも適用できる。New RATでは、1msecあたりのsymbol数が上記のLTEと異なる可能性がある。また、TTI長を短縮したTTI（以下、sTTI：short TTIと呼ぶ)を運用する際、複数のTTI長を同時にサポートすることが考えられる（例えば、非特許文献３を参照）。複数のTTI長をサポートすることで異なるアプリケーションの要求に合わせてTTI長を選択して使い分けることができる。例えば、遅延が許容されるパケットには長いTTIを使用し、遅延に厳しいパケットにはsTTIを使用することができる。
【０００７】
しかしながら、端末（UEと呼ぶこともある）に使用可能な最大の送信電力が十分でない場合、異なるTTI長の複数のTTIを使用した各パケットを同時に送信すると、送信電力が足りなくなるという課題がある。よって、TTI長が異なる場合の送信電力の配分を検討する必要がある。
【０００８】
本開示の一態様は、TTI長が異なる場合の送信電力の配分を適切に設定することができる端末及び通信方法を提供する。
【０００９】
本開示の一態様に係る端末は、第１TTI（Transmission Time Interval）の上り信号又は前記第１TTIよりもTTI長が短い第２TTIの上り信号の割当を指示する下り制御情報を受信する受信部と、前記第１TTIの上り信号及び前記第２TTIの上り信号の送信電力をそれぞれ決定する送信電力決定部と、前記下り制御情報に基づいて、前記決定された送信電力で前記第１TTIの上り信号及び前記第２TTIの上り信号を送信する送信部と、を具備し、前記送信電力決定部は、前記第１TTIの上り信号の送信開始よりも前に、当該第１TTIの区間内で送信される前記第２TTIの上り信号の割当を指示する前記下り制御情報の復号が完了した場合、当該第１TTI内における前記第２TTIの上り信号に対する所望の送信電力を確保する。
【００１０】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１１】
本開示の一態様によれば、TTI長が異なる場合の送信電力の配分を適切に設定することができる。
【００１２】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１】実施の形態１に係る端末の要部構成を示すブロック図
【図２】実施の形態１に係る基地局の構成を示すブロック図
【図３】実施の形態１に係る端末の構成を示すブロック図
【図４Ａ】実施の形態１の動作例１に係る送信タイミングの一例を示す図
【図４Ｂ】実施の形態１の動作例１に係る送信電力配分の一例を示す図
【図５Ａ】実施の形態１の動作例１に係る送信タイミングの一例を示す図
【図５Ｂ】実施の形態１の動作例１に係る送信電力配分の一例を示す図
【図６】実施の形態１の動作例２に係る送信タイミングの一例を示す図
【図７】実施の形態１の動作例２に係る送信タイミングの一例を示す図
【図８】実施の形態１の動作例２に係る送信タイミングの一例を示す図
【発明を実施するための形態】
【００１４】
［本開示の一態様に至る経緯］
以下、本開示の一態様に至った経緯について説明する。
【００１５】
［Dual connectivityの動作］
Dual connectivityでは、端末が複数のセルにおいて同時にUL（Uplink）の信号を送信することができる。各セルは、MCG(Master Cell Group)またはSCG(Secondary Cell Group)に所属し、MCGのUL送信とSCGのUL送信に対して、優先度を決め、送信電力を配分することができる。
【００１６】
UL送信における電力配分として、Dual connectivityでは、それぞれのCGに、最少保障電力(minimum guaranteed power)が割り当てられている。端末は、最少保障電力以上の送信電力を使用する場合、優先度に応じて、余っている送信電力（余剰電力。remaining power）を使用することができる。また、MCGとSCGとが同期していない場合に適用される電力配分として、先に送信し始めた信号の送信電力は変更されないという方法もある。
【００１７】
［前提］
複数のTTI長を同時にサポートする際の各TTI間の電力配分についても、Dual connectivityと同様にして、すなわち、各TTIをCell groupと見立てて、最少保障電力を割り当てる方法が考えられる。例えば、各TTIで最少保障電力以上の送信電力が必要である場合、優先度に応じて残りの電力を配分する方法、又は、先に送信し始めたTTIの信号に対して残りの電力を使用できるという方法が考えられる。
【００１８】
［課題］
TTI長の異なる複数のTTIのUL信号が同時に送信される場合、長いTTIのUL信号の送信が開始した後に、sTTIのUL信号が割り当てられ、sTTIのUL信号の送信が開始される可能性がある。このような場合、長いTTIのUL信号よりもsTTIのUL信号の優先度が高くても、長いTTIのUL信号に電力が既に割り当てられているので、余剰電力が少ない場合には、sTTIのUL信号に割り当てる電力が足りなくなるという課題がある。
【００１９】
また、sTTIを優先するためには、sTTIのGuaranteed powerを常に確保することも考えられるが、この場合、sTTIのUL割当がなくてもTTIに割り当てられる電力が常に小さくなってしまうという課題がある。また、TTI長に応じた優先度を決めずに、先に送信し始めたUL信号が余剰電力を使用する方法では、長いTTIの方が、sTTIよりも余剰電力を使用することが多くなるという偏りが生じてしまう。
【００２０】
そこで、本開示の一態様では、TTI長が異なるUL信号を送信する場合において適切に電力配分を行うことを目的とする。
【００２１】
以下、本開示の実施の形態について図面を参照して詳細に説明する。
【００２２】
（実施の形態１）
［通信システムの概要］
本開示の各実施の形態に係る通信システムは、基地局１００及び端末２００を備える。
【００２３】
図１は本開示の実施の形態に係る端末２００の要部構成を示すブロック図である。図１に示す端末２００において、DCI受信部２０７は、第１TTI（長いTTI）の上り（UL）信号又は第１TTIよりもTTI長が短い第２TTI（sTTI）の上り信号の割当を指示する下り制御情報（DCI）を受信し、送信電力決定部２１１は、第１TTIの上り信号及び第２TTIの上り信号の送信電力をそれぞれ決定し、送信部２１２は、下り制御情報に基づいて、決定された送信電力で第１TTIの上り信号及び第２TTIの上り信号を送信する。送信電力決定部２１１は、第１TTIの上り信号の送信開始よりも前に、当該第１TTIの区間（例えば、サブフレーム）内で送信される第２TTIの上り信号の割当を指示する下り制御情報の復号が完了した場合、当該第１TTI内における第２TTIの上り信号に対する所望の送信電力を確保する。
【００２４】
［基地局の構成］
図２は、本実施の形態に係る基地局１００の構成を示すブロック図である。図２において、基地局１００は、DCI（Downlink Control Information：下り制御情報）生成部１０１と、誤り訂正符号化部１０２と、変調部１０３と、信号割当部１０４と、送信部１０５と、受信部１０６と、信号分離部１０７と、ACK/NACK受信部１０８と、復調部１０９と、誤り訂正復号部１１０とを有する。
【００２５】
DCI生成部１０１は、送信データ信号（DLデータ信号）をsTTIで送信するか、TTIで送信するか、sTTI及びTTIの両方で送信するかを決定する。また、DCI生成部１０１は、ULデータ信号をsTTIで受信するか、TTIで受信するか、sTTI及びTTIの両方で受信するかを決定する。そして、DCI生成部１０１は、ACK/NACK受信部１０８から入力されるACK/NACK信号（つまり、DLデータ信号（PDSCH：Physical Downlink Shared Channel）に対するACK/NACK信号）の内容（ACK又はNACK）に基づいて、DLデータ信号の再送が必要か否かを判定し、判定結果に応じて、sTTI用DCI又はTTI用DCIを生成する。DCI生成部１０１は、DLに関する制御信号（DLリソース割当情報など）を信号割当部１０４へ出力し、ULに関する制御信号（ULリソース割当情報など）を信号分離部１０７に出力する。
【００２６】
また、DCI生成部１０１は、端末２００においてULチャネルでsTTIとTTIとの同時送信が発生する場合、端末２００の送信電力の余裕度（余剰電力等）を、例えば、Power Head roomから予測し、予測した余裕度に基づいて、端末２００においてsTTIとTTIとで同時送信が可能であるか否かを判断する。例えば、DCI生成部１０１は、sTTIにおいてTTIよりも優先度が高い信号を割り当てる場合には、送信電力を確保するためにサブフレームの前方のsTTIに当該信号を割り当てる。
【００２７】
また、DCI生成部１０１は、生成したDCIに対して符号化処理及び変調処理を行い、変調後のDCIを端末２００へ送信するために信号割当部１０４に出力する。
【００２８】
誤り訂正符号化部１０２は、送信データ信号（DLデータ信号）、及び、上位レイヤのシグナリング（図示せず）を誤り訂正符号化し、符号化後の信号を変調部１０３へ出力する。
【００２９】
変調部１０３は、誤り訂正符号化部１０２から受け取る信号に対して変調処理を施し、変調後の信号を信号割当部１０４へ出力する。
【００３０】
信号割当部１０４は、DCI生成部１０１から入力されるDLリソース割当情報に基づいて、変調部１０３から受け取る信号、及び、DCI生成部１０１から受け取る制御信号であるDCIを、所定の下りリソースに割り当てる。このようにして送信信号が形成される。形成された送信信号は、送信部１０５へ出力される。
【００３１】
送信部１０５は、信号割当部１０４から入力される送信信号に対してアップコンバート等の無線送信処理を施し、アンテナを介して端末２００へ送信する。
【００３２】
受信部１０６は、端末２００から送信された信号をアンテナを介して受信し、受信信号に対してダウンコンバート等の無線受信処理を施し、信号分離部１０７へ出力する。
【００３３】
信号分離部１０７は、DCI生成部１０１から入力されるULリソース割当情報に基づいて、ULデータ信号及びACK/NACK信号の受信周波数及び時間タイミングを特定する。そして、信号分離部１０７は、受信信号からULデータ信号を分離して復調部１０９へ出力し、受信信号からACK/NACK信号を分離してACK/NACK受信部１０８へ出力する。
【００３４】
ACK/NACK受信部１０８は、信号分離部１０７から入力される、DLデータ信号に対するACK/NACK信号の内容（ACK又はNACK）をDCI生成部１０１に出力する。
【００３５】
復調部１０９は、信号分離部１０７から入力される信号に対して復調処理を施し、得られた信号を誤り訂正復号部１１０へ出力する。
【００３６】
誤り訂正復号部１１０は、復調部１０９から入力される信号を復号し、端末２００からの受信データ信号（ULデータ信号）を得る。
【００３７】
［端末の構成］
図３は、本実施の形態に係る端末２００の構成を示すブロック図である。図３において、端末２００は、受信部２０１と、信号分離部２０２と、復調部２０３と、誤り訂正復号部２０４と、誤り判定部２０５と、ACK/NACK生成部２０６と、DCI受信部２０７と、誤り訂正符号化部２０８と、変調部２０９と、信号割当部２１０と、送信電力決定部２１１と、送信部２１２と、を有する。
【００３８】
受信部２０１は、受信信号（例えば、sTTI用DCI又はTTI用DCIを含む）をアンテナを介して受信し、受信信号に対してダウンコンバート等の受信処理を施した後に信号分離部２０２へ出力する。
【００３９】
信号分離部２０２は、DCIが割り当てられる可能性のあるリソースに配置された信号を分離して、DCI受信部２０７へ出力する。また、信号分離部２０２は、DCI受信部２０７から入力されるDLリソース割当情報に基づいて、受信信号からDLデータ信号を分離し、復調部２０３へ出力する。
【００４０】
復調部２０３は、信号分離部２０２から受け取る信号を復調し、復調後の信号を誤り訂正復号部２０４へ出力する。
【００４１】
誤り訂正復号部２０４は、復調部２０３から受け取る復調信号を復号し、得られた受信データ信号を出力する。また、誤り訂正復号部２０４は、受信データ信号を誤り判定部２０５へ出力する。
【００４２】
誤り判定部２０５は、受信データ信号のCRC（Cyclic Redundancy Check）で誤りを検出し、検出結果をACK/NACK生成部２０６へ出力する。
【００４３】
ACK/NACK生成部２０６は、誤り判定部２０５から入力される、受信データ信号の検出結果に基づいて、誤りが無ければACKを生成し、誤りが有ればNACKを生成し、生成したACK/NACK信号を信号割当部２１０へ出力する。
【００４４】
DCI受信部２０７は、信号分離部２０２から受け取るDCI（TTI用DCI又はsTTI用DCI）に対して復調処理及び復号処理を行う。そして、DCI受信部２０７は、復号後のDCIに示されるDLに関する制御信号（DLリソース割当情報など）を信号分離部２０２へ出力し、ULに関する制御信号（ULリソース割当情報など）を信号割当部２１０へ出力する。
【００４５】
誤り訂正符号化部２０８は、送信データ信号（ULデータ信号）を誤り訂正符号化し、符号化後のデータ信号を変調部２０９へ出力する。
【００４６】
変調部２０９は、誤り訂正符号化部２０８から受け取るデータ信号を変調し、変調後のデータ信号を信号割当部２１０へ出力する。
【００４７】
信号割当部２１０は、DCI受信部２０７から受け取るULリソース割当情報に基づいて、変調部２０９から入力されたデータ信号をリソースに割り当て、送信電力決定部２１１及び送信部２１２へ出力する。また、信号割当部２１０は、ACK/NACK生成部２０６から入力されたACK/NACK信号をACK/NACK用リソースに割り当て、又は、ULデータ信号に多重して、送信電力決定部２１１及び送信部２１２へ出力する。
【００４８】
送信電力決定部２１１は、信号割当部２１０から入力される送信信号及びACK/NACK信号に対して送信電力を決定する。具体的には、送信電力決定部２１１は、長いTTIのUL信号及びsTTIのUL信号の送信電力をそれぞれ決定する。例えば、送信電力決定部２１１は、長いTTIのUL信号の送信中にsTTIのUL信号の送信が発生する場合、サブフレームの境界に相当する長いTTIの送信開始タイミングの前に、sTTIのUL信号（チャネル）の割当を指示するDCI（sTTI用DCI）に示されるリソース割当情報を復号することができ、かつ、sTTIのUL信号の優先度が長いTTIのUL信号の優先度よりも高い場合、sTTIのUL信号に対する送信電力を確保する。また、送信電力決定部２１１は、sTTIに割り当てられるUL信号の優先度が長いTTIのUL信号の優先度よりも低い場合には、TTIのUL信号を優先して送信電力を確保する。送信電力決定部２１１は、決定した送信電力を示す送信電力情報を送信部２１２に出力する。
【００４９】
送信部２１２は、送信電力決定部２１１から入力される送信電力情報に基づいて送信電力を設定し、信号割当部２１０から入力される信号に対してアップコンバート等の送信処理を施し、アンテナを介して送信する。これにより、長いTTI及びsTTIのUL信号は、DCIによって指示されたリソースを用いて、送信電力決定部２１１で決定された送信電力で送信される。
【００５０】
［基地局１００及び端末２００の動作］
以上の構成を有する基地局１００及び端末２００における動作について詳細に説明する。
【００５１】
以下では、一例として、LTEシステムをベースとして、長いTTIをLTEのサブフレーム長である1msecとし、長いTTIでは通常のLTEの動作を仮定する。また、以下では、TTI長が異なるTTIを、それぞれ、長いTTI（long TTI、又は単にTTI）、及び、short TTI（sTTI）と呼ぶ。
【００５２】
ここでは、端末２００が、長いTTIのUL信号（ULチャネル）であるPUSCH（Physical Uplink Shared Channel）又はPUCCH（Physical Uplink Control Channel）を送信中に、優先度の高いsTTIのUL信号を送信する例を示す。
【００５３】
端末２００は、TTIのUL信号を送信する前に、当該TTIのUL信号と同一のサブフレームに、優先度の高いsTTIのUL信号を送信すると判断すると、sTTI用に送信電力を確保（reserve）する。
【００５４】
sTTIで送信されるUL信号（ULチャネル）としては、sPDSCH（short PDSCH。DLデータ）に対するACK/NACK、sPUSCH（ULデータ）、periodic CSI（Channel State Information）、aperiodic CSI、SR（scheduling request）などが考えられる。sTTIのULチャネルに対して送信電力を確保するか否かを判断するタイミングは、ULチャネルの種別により以下のようにそれぞれ異なる。
【００５５】
「sPDSCHに対するACK/NACK」の場合、端末２００は、sPDSCHの割当を指示する下り制御情報であるDCI（downlink control channel）の復号が完了した時点でsTTIのULチャネル（ACK/NACK）に送信電力を確保するか否かを判断する。DCIは、当該DCIと同一sTTIにsPDSCHを割り当てることを指示する。そして、端末２００は、sPDSCHを受信したK TTI(Kは整数)後にACK/NACKをUL sTTIで送信する。したがって、端末２００は、sPDSCHの復号が完了していなくても、DCIの復号が完了した時点で、DCIを受信したK TTI後にACK/NACKを送信することを判断できる。つまり、端末２００は、DCIの復号が完了した時点で、当該DCIによって割り当てられるsPDSCHに対するACK/NACKのための送信電力を確保するか否かを判断することができる。
【００５６】
「sPUSCH」の場合、端末２００は、sPUSCHの割当を指示するDCIの復号が完了した時点でsTTIのULチャネル（sPUSCH）に送信電力を確保するか否かを判断する。DCIは、当該DCIからK TTI後のUL sTTIにsPUSCHを割り当てることを指示する。したがって、端末２００は、DCIの復号が完了した時点で、DCIを受信したK TTI後にsPUSCHを送信することを判断できる。つまり、端末２００は、DCIの復号が完了した時点で、当該DCIによって割り当てられるsPUSCHのための送信電力を確保するか否かを判断することができる。
【００５７】
「aperiodic CSI」の場合、端末２００は、aperiodic CSIの割当を指示するDCIの復号が完了した時点でsTTIのULチャネル（aperiodic CSI）に送信電力を確保するか否かを判断する。sPUSCHと同様、DCIは、当該DCIからK TTI後のsTTIにCSIを割り当てることを指示する。したがって、端末２００は、DCIの復号が完了した時点で、DCIを受信したK TTI後にaperiodic CSIを送信することを判断できる。つまり、端末２００は、DCIの復号が完了した時点で、当該DCIによって割り当てられるaperiodic CSIのための送信電力を確保するか否かを判断することができる。
【００５８】
sPDSCHに対するACK/NACK、sPUSCH、aperiodic CSIの場合の送信電力配分、つまり、DCIによって通知されるULチャネルに対する送信電力配分の詳細は後述する。なお、LTE/LTE-Advancedでは、K=4以上と規定しているが、sTTIでは、他の値を用いることも考えられる。
【００５９】
「periodic CSI」の場合、端末２００は、periodic CSIを割り当てる上位レイヤのシグナリングの復号が完了したした時点でsTTIのULチャネル（periodic CSI）に送信電力を確保するか否かを判断する。periodic CSIは、周期的に送信されることが上位レイヤのシグナリングによって通知される。このため、端末２００は、どのサブフレームでsTTIのCSIを送信するかを予め認識している。したがって、端末２００は、sTTIのCSIの優先度が長いTTIのUL信号の優先度よりも高い場合にはsTTI CSI用に送信電力を確保し、sTTIのCSIの優先度が長いTTIのUL信号の優先度よりも低い場合にはsTTI CSI用に送信電力を確保しない。
【００６０】
「SR」の場合、端末２００は、sTTIのULチャネル（SR）に送信電力を確保するか否かを事前に判断できない。長いTTIの送信中に、sTTIのSRが発生すると、端末２００は、SRに割当可能な送信電力（余剰電力）を確認する。そして、端末２００は、SRの送信に十分な送信電力が割当可能であると判断すると、任意のタイミングでSRを送信する。一方、端末２００は、SRの送信に十分な送信電力を割り当てられないと判断すると、次のサブフレーム以降でSRを送信可能なタイミングまで待機して、SRを送信する。ただし、端末２００は、sTTIのUL信号（SR以外の他のUL信号）に対して送信電力が既に確保されている場合、端末２００は、サブフレームにおいて予め確保した送信電力を、当該サブフレームで発生するSRに対して割り当ててもよい。
【００６１】
以下、sPDCCH（DCI）によって割り当てられるULチャネル（sPDSCHに対するACK/NACK、sPUSCH、aperiodic CSI）の送信電力配分について詳細に説明する。
【００６２】
＜動作例１＞
図４Ａ及び図５Ａは、sTTIのUL信号（例えば、sPDSCHに対するACK/NACK、sPUSCH、又は、aperiodic CSI）の割当を指示するsTTI PDCCH（DCI）のタイミング及び当該UL信号（sTTI sPUSCH/sPUCCH）のタイミングの一例を示す。また、図４Ｂ及び図５Ｂは、図４Ａ及び図５Ａのsubframe #1におけるsTTIのUL信号の送信電力と、長いTTIのUL信号とに対する端末２００での送信電力の配分例を示す。
【００６３】
図４Ａ及び図５Ａでは、短いTTI（sTTI）は、DL及びULともに2 symbols（つまり、1ms（1TTI）あたり7sTTI）で構成される。
【００６４】
また、sTTIのUL信号とTTIのUL信号の所望送信電力を合計すると、端末２００の最大送信電力（Pmax）を超える場合を想定する。
【００６５】
また、DCIはDLの2 symbol（つまり、1sTTI）に割り当てられる。また、DCIと当該DCIによって割り当てられるUL信号との間隔をK=4とし、DCIが送信された4sTTI後に、DCIによって割り当てられるUL信号が送信される。
【００６６】
また、端末２００においてDCIの復号及びUL信号の送信電力調整に必要な処理時間を2 symbolとする。
【００６７】
図４Ａでは、Subframe#1のsTTI#2にUL信号が割り当てられている。このUL信号は、4sTTI前のsPDCCH、つまり、Subframe #0の６番目のsTTI（sTTI#5）で送信されるDCIによって割り当てられている。
【００６８】
端末２００は、Subframe #0のsTTI#5で受信したDCIを2 symbol以内に復号する。つまり、端末２００は、Subframe #1より前のSubframe #0のsTTI#6で復号を完了させる。そして、端末２００は、復号したDCIによって優先度の高いsTTIのUL信号が割り当てられている場合、sTTI用の送信電力を確保して、確保された送信電力以外の残りの送信電力を使用してSubframe#1の長いTTIのUL信号の送信を開始する。
【００６９】
つまり、端末２００は、Subframe#1が開始される前に、Subframe#0でDCIの復号が完了した時点で、図４Ｂに示すように、Subframe#1のsTTI#2でsTTIのUL信号を送信するための所望の送信電力を確保し、残りの送信電力をSubframe#1で送信される長いTTIのUL信号（TTI PUSCH/PUCCH）に配分する。これにより、Subframe#1のsTTI#2では、端末２００は、確保した送信電力を使用して、sTTIのUL信号を送信することができる。
【００７０】
一方、図５Ａでは、Subframe#1のsTTI#3にUL信号が割り当てられている。このUL信号は、4sTTI前のsPDCCH、つまり、Subframe #0の７番目のsTTI（sTTI#6）で送信されるDCIによって割り当てられている。
【００７１】
端末２００は、Subframe #0のsTTI#6で受信したDCIを２symbol以内に復号する。しかし、図５Ａに示すように、端末２００によるDCIの復号はsubframe#1の区間で行われる。つまり、端末２００では、TTIのUL信号の送信電力を変更できるタイミング、つまり、Subframe#1の開始前までに、sTTIに関するDCIの復号が完了しない。
【００７２】
そこで、端末２００は、sTTIのDCIの復号を待たずに、所望の送信電力を使用してSubframe#1の長いTTIのUL信号の送信を開始する。つまり、端末２００は、Subframe#1の開始時点では、Subframe#1のsTTI#3でsTTIのUL信号を送信するための所望の送信電力を確保しない。よって、端末２００は、図５Ｂに示すように、Subframe#1のsTTI#3では、sTTIのUL信号の優先度が高い場合でも、長いTTIのUL信号に使用された送信電力以外の残りの送信電力を使用してsTTIのUL信号を送信する。
【００７３】
すなわち、図４Ａ及び図５Ａに示す例では、Subframe#1においてsTTI#0〜#2の間に優先度の高いUL信号の割当を指示するDCIが割り当てられていれば、端末２００は、Subframe#1の開始までに当該UL信号に対応するDCIの復号を完了させ（つまり、sTTIのUL信号の割当を特定し）、当該UL信号に対して所望の送信電力を予め確保することができる。これにより、端末２００は、TTIのUL信号の送信中でも、優先度の高いsTTIのUL信号を十分な送信電力で送信することができる。
【００７４】
一方、図４Ａ及び図５Ａに示す例では、Subframe #1においてsTTI#3〜#6の間にUL信号の割当を指示するDCIが割り当てられた場合、Subframe #1の開始までに当該DCIの復号が間に合わない。よって、端末２００は、Subframe#1のsTTI#3〜#6の間に優先度の高いUL信号の割当を指示するDCIを受信しても、当該UL信号を送信するための所望の送信電力を確保せずに、Subframe#1で送信される長いTTIのUL信号を所望の送信電力で送信する。
【００７５】
また、図５Ｂに示すように、端末２００は、長いTTIのUL信号の送信開始後は、同一サブフレーム（Subframe #1）内では長いTTIのUL送信の送信電力を一定に保つ。ここで、変調方式が振幅を使用する多値変調方式(16QAM, 64QAM, 256QAM)である場合、送信途中で信号の送信電力が変更されると、基地局１００において参照信号(DMRS：Demodulation Reference Signal)と受信データとの間で電力差が生じ、受信データを正しく復調できないという問題が生じる。よって、長いTTIのUL信号の送信電力を一定に保つことで、多値変調時にはチャネル推定の品質を保つことができる。また、端末２００からPUCCHが送信され、基地局１００が送信電力を判定している場合には、長いTTIのUL信号の送信電力を一定に保つことで、基地局１００においてPUCCHの電力を検出しやすいという利点がある。
【００７６】
＜動作例２＞
動作例２では、動作例１で説明した動作に加え、DLとULとの時間差を考慮する。
【００７７】
具体的には、動作例１（図４Ａ及び図５Ａ）では、DLとULの時間差を図示していないが、実際のULのフレームタイミングでは、TA（Timing Advance）の指示により、UEのDLフレーム受信タイミングを基準としてUL送信タイミングを前方方向にシフトする。TAは、複数のUEから送信されるUL信号が基地局において同期するように調整する値である。基地局からの距離（すなわち、伝搬遅延）がUE毎に異なり、一般的に、基地局とUEとの間の伝搬遅延が長いほど、TAの絶対値が大きくなり、伝搬遅延が短いほど、TAの値は０に近づく。
【００７８】
つまり、TAの値に応じて、sTTIのUL信号の送信電力を確保できるsTTI（つまり、sTTI用の送信電力を確保するか否かの判断基準となるタイミング）は変更する。そこで、動作例２では、端末２００は、TAの値に応じて、ULのsTTIで送信するUL信号に対する送信電力を確保するか否かを判断する。
【００７９】
ここで、LTE/LTE-Advancedでは、TAは、0≦NTA≦20512と定義されており、UL送信タイミングは(NTA+NTA offset)×Ts秒前方にシフトする。
【００８０】
なお、FDD（Frequency Division Duplex）の場合、NTA offset=0であり、TDD（Time Division Duplex）の場合、NTA offset=624である。また、Ts=1 / (15000*2048)であり、1 symbol長は、Normal CP の場合、slot内の先頭symbolのみ2208 Ts秒であり、残りのsymbolは2192 Ts秒である。
【００８１】
以下、図６〜図８を用いて、TAを考慮したUL送信タイミングの一例を説明する。
【００８２】
図６〜図８では、DCIはDLの2 symbol（つまり、1sTTI）に割り当てられる。また、図６〜図８では、端末２００においてDCIの復号及びUL信号の送信電力調整に必要な処理時間を2 symbolとする。
【００８３】
図６は、DL,ULともにsTTI長が2 symbol（つまり、1ms（1TTI）あたり7sTTI）の場合のUL送信タイミングを示す。
【００８４】
図６では、TA=0、TA=2192×2 (2 symbolに相当)、TA=2192×4 (4 symbolに相当)の場合のUL送信タイミングを示す。
【００８５】
図６に示すTA=0の場合（つまり、図４Ａ及び図５Ａと同様のタイミング）、端末２００は、Subframe #0のDL sTTI#5以前（sTTI#3〜sTTI#5）にDCIが割り当てられた場合、当該DCIの復号をSubframe #1の開始前に完了し、Subframe #1内でsTTI用の送信電力を確保することができる。すなわち、図６のTA=0の場合、端末２００は、Subframe #1のUL sTTI#0〜#2でsTTIのUL信号を送信する場合にsTTIの送信電力を予め確保することができる。
【００８６】
図６に示すTA=2192×2 (2 symbolに相当）の場合、端末２００は、Subframe #0のDL sTTI#4以前（sTTI#3，#4）にDCIが割り当てられた場合、当該DCIの復号をSubframe #1の開始前に完了し、Subframe #1内でsTTI用の送信電力を確保することができる。すなわち、図６のTA=2192×20の場合、端末２００は、Subframe #1のUL sTTI#0〜#1でsTTIのUL信号を送信する場合にsTTIの送信電力を予め確保することができる。つまり、TA=2192×2の場合、送信電力を確保できるsTTIは、TA=0よりも1sTTI少ない。
【００８７】
同様に、図６において、端末２００は、TA=2192×4 (4 symbolに相当)の場合には、Subframe #1のUL sTTI#0でsTTIの送信電力を確保することができる。
【００８８】
図７は、DLのsTTI長が2 symbol（つまり、1ms（1TTI）あたり7sTTI）とし、ULのsTTI長が3/4 symbol（つまり、1ms（1TTI）あたり4sTTI）の場合のUL送信タイミングを示す。
【００８９】
図７では、TA=0、TA=2192×2 (2 symbolに相当)、TA=2192×4 (4 symbolに相当)の場合のUL送信タイミングを示す。
【００９０】
また、図７では、DCIは、DL sTTIを基準として、UL sTTIでのUL信号の送信タイミングから4 DL sTTI前に送信されるとする。例えば、Subframe #1のUL sTTI#0の割当は、Subframe #0のDL sTTI#3で送信されるDCIによって指示される。
【００９１】
図７に示すTA=0の場合、端末２００は、Subframe #0のDL sTTI#5以前（sTTI#3、sTTI#5）にDCIが割り当てられた場合、当該DCIの復号をSubframe #1の開始前に完了し、Subframe #1内でsTTI用の送信電力を確保することができる。すなわち、図７のTA=0の場合、端末２００は、Subframe #1のUL sTTI#0〜#1でsTTIのUL信号を送信する場合にsTTIの送信電力を予め確保することができる。
【００９２】
図７に示すTA=2192×2（2 symbolに相当）の場合、端末２００は、Subframe #0のDL sTTI#4以前（sTI#3）にDCIが割り当てられた場合、当該DCIの復号をSubframe #1の開始前に完了し、Subframe #1内でsTTI用の送信電力を確保することができる。すなわち、図７のTA=2192×20の場合、端末２００は、Subframe #1のUL sTTI#0でsTTIのUL信号を送信する場合にsTTIの送信電力を予め確保することができる。つまり、TA=2192×2の場合、送信電力を確保できるsTTIは、TA=0よりも1sTTI少ない。
【００９３】
同様に、図７において、端末２００は、TA=2192×4 (4 symbolに相当)の場合には、Subframe #1のUL sTTI#0でsTTIの送信電力を確保することができる。
【００９４】
図８は、DLのsTTI長が１スロット（つまり、1ms（1TTI）あたり2sTTI）とし、ULのsTTI長が3/4 symbol（つまり、1ms（1TTI）あたり4sTTI）の場合のUL送信タイミングを示す。
【００９５】
図８では、TA=0、TA=2192×2 (2 symbolに相当)、TA=2192×4 (4 symbolに相当)、TA=2192×6 (6 symbolに相当)の場合のUL送信タイミングを示す。
【００９６】
また、図８では、DCIは、UL sTTIを基準として、UL sTTIでのUL信号の送信タイミングから4UL sTTI前に送信されるとする。例えば、Subframe #1のULsTTI#0，#1の割当は、subframe #0のDL sTTI#0で送信されるDCIによって指示され、Subframe #1のULsTTI#2，#3の割当は、subframe #0のDL sTTI#1で送信されるDCIによって指示される。なお、図８に示すように、DCIは、各sTTI（１スロット長）の前方（例えば、PDCCHに相当する部分）の2 symbolで送信される。
【００９７】
図８に示すTA=0及びTA=2192×2の場合、端末２００は、ULのサブフレーム境界の2 symbol前までに、Subframe #1を使用するULに関するDCIが割り当てられた場合、当該DCIの復号をSubframe #1の開始前に完了し、Subframe #1内でsTTI用の送信電力を確保することができる。すなわち、図８では、TA=0及びTA=2192×2の場合、端末２００は、Subframe #1のUL sTTI#0〜#3（つまり、全てのsTTI）でsTTIのUL信号を送信する場合にsTTIの送信電力を予め確保することができる。
【００９８】
図８に示すTA=2192×4及びTA=2192×6の場合、端末２００は、ULのサブフレーム境界の2 symbol前までに、Subframe #1を使用するULに関するDCIが割り当てられた場合、当該DCIの復号をSubframe #1の開始前に完了し、Subframe #1内でsTTI用の送信電力を確保することができる。すなわち、図８では、TA=2192×4及びTA=2192×6の場合、端末２００は、Subframe #1のUL sTTI#0〜#1でsTTIのUL信号を送信する場合にsTTIの送信電力を確保することができる。
【００９９】
図６〜図８に示すように、TAが長くなるにつれて、UL送信タイミングが前方にシフトするので、端末２００においてDCIを受信してから次のサブフレームが開始されるまでの期間が短くなり、ULの送信電力を確保できるsTTI数が減少する。また、図６〜図８に示すように、Subframe内の複数のsTTIのうち、前方のsTTIほど、TAが長くても送信電力を確保できる確率が高くなる。
【０１００】
そこで、基地局１００は、例えば、端末２００においてsTTIで送信される優先度の高いUL信号の割当を指示するDCI（sTTI用DCI）を、各サブフレーム内のより前方のsTTIに割り当ててもよい。これにより、端末２００がDCIを、当該DCIによって割当を指示されたUL信号が送信されるサブフレームの開始前に復調を完了させることができ、優先度の高いUL信号信号に対して所望の送信電力を確保できる確率を高めることができる。
【０１０１】
なお、上記では、DCIの復号に要する時間を2 symbolとした。しかし、DCIの復号に必要な時間（symbol長）は2 symbolに限定されるものではなく、1 symbolまたは3 symbol以上でもよい。
【０１０２】
また、DCIの復号に要する時間は、symbol数ではなく、sTTI数または時間(second)で定義されることも考えられる。
【０１０３】
以下では、DLのサブフレーム境界からどれだけ前にDCIで割当を指示されれば、端末２００がsTTIのUL信号の送信電力を確保することができるかを判断するための判断基準値を、symbol数、sTTI数又は時間で定義する方法について説明する。
【０１０４】
例えば、端末２００は、判断基準値に基づいて、sTTIのUL信号に対する送信電力を決定することができる。また、基地局１００は、判断基準値に基づいて、端末２００からのUL信号の送信電力を特定し、スケジューリングを行うことができる。
【０１０５】
［symbol数の場合］
図６〜図８に示すように判断基準値をsymbol数で定義する場合について説明する。
【０１０６】
DLのサブフレーム境界から、何symbol以前にDCIで割当を指示されれば、sTTIのUL信号の送信電力を確保できるかを表す判断基準値（symbol数）は、以下の表１のように定めることができる。
【０１０７】
【表１】
2018030069.tif 000003
【０１０８】
ここで、NはDCIの復号に要するsymbol数、つまり、判断基準値の最小のsymbol数（例えば、図６〜図８ではN=2symbol）とする。なお、ここでは、TDDにおいても最小のsymbol数Nで実施する場合を含めるために、TA=624以下であれば、判断基準値を最小のsymbol数Nとする。すなわち、表１では、端末２００側で復号処理のために（Nsymbol長 − 624Ts）時間を確保する式である。
【０１０９】
判断基準値は、symbol数で定義する場合、sTTIのTTI長に依らずに定めることができる。よって、基地局１００及び端末２００は、判断基準値に基づいて、sTTIの設定変更などに依らずにsTTI用の送信電力を確保するか否かを判断することができる。ただし、判断基準値の最小値Nの値（symbol数）は、sTTI長によって異なる可能性がある。
【０１１０】
［sTTI数の場合］
判断基準値をDLのsTTI数で定義する場合について説明する。
【０１１１】
サブフレーム境界から、何sTTI以前にDCIで割当を指示されれば、sTTIのUL信号の送信電力を確保できるかを表す判断基準値（sTTI数）は、以下の表２のように定めることができる。なお、表２では、DL sTTIのTTI長が2symbolの場合（例えば、図６又は図７を参照）、DCIの復号に必要となる時間を1sTTI以上（つまり、N=1sTTI）とする。
【０１１２】
【表２】
2018030069.tif 000004
【０１１３】
また、DL sTTIのTTI長が1スロットの場合（例えば、図８を参照）、以下の表３に示すように、TAがY以下の場合、判断基準値であるsTTI数を最小値Nとする。表３においてYは、DCIの復号に要する最小時間を（0.5 ms *N(sTTI)− DCI長− YTs ）とした場合に、これを満たす値とする。
【０１１４】
【表３】
2018030069.tif 000005
【０１１５】
［時間(second)の場合］
判断基準値を時間で定義する場合について説明する。
【０１１６】
サブフレーム境界から何秒[second]前にDCIで割当を指示されれば、sTTIのUL信号の送信電力を確保できるかを表す判断基準値（時間（second））は、以下のように定義される。
(NTA + NTA offset)Ts+ Z [second]
【０１１７】
なお、Zは、DCIの復号に要する時間である。つまり、端末２００は、（(NTA+ NTA offset)Ts + Z）以上前にDCIを受信していれば、サブフレーム境界の前までにDCIを復号できるので、sTTIのUL信号に対する送信電力を確保することができる。
【０１１８】
ただし、TAが長くなると、DCIの復号に必要な時間だけでなく、sPDSCHの復号時間、sPUSCHの生成に使用できる時間も短くなる。したがって、sTTI長を短くし、それに伴い、DCIとULチャネルの間隔が短くなると、TA長が長い場合にsPDSCHの復号およびsPUSCHの生成が間に合わない可能性がある。したがって、sTTI長を短くする場合、TA長の最大値を短くすることも考えられる。
【０１１９】
このように、基地局１００及び端末２００は、TAの値と、判断基準値（symbol数、sTTI数又は時間）とを用いて、サブフレーム内のどのsTTIに対してUL信号の送信電力を確保できるか否かを判断することができる。これにより、基地局１００と端末２００とで送信電力調整について共通の認識を有することができる。よって、基地局１００は、どのsTTIの送信電力を確保できるかを特定した上で、効率良くスケジューリングすることができる。
【０１２０】
＜動作例３＞
同一サブフレーム内に、複数のsTTIのUL信号が割り当てられた場合、端末２００は、同一サブフレームで同時に送信されるTTIのUL信号よりも優先度が高いsTTIのUL信号のうち、所望の送信電力が最も高いUL信号を基準として、確保する送信電力を決定する。
【０１２１】
確保すべき送信電力は、UL信号（チャネル）の種類又は送信に必要なリソース量(RB数)によって異なる。
【０１２２】
なお、端末２００は、sTTIのUL信号のうち、同一サブフレーム内で同時に送信されるTTIのUL信号よりも優先度が低いsTTIのUL信号であっても、同一サブフレームで送信される他のsTTI UL信号用に送信電力が既に確保されていれば（つまり、未使用の送信電力があれば）、残りの送信電力を使用して当該sTTTのUL信号を送信する。
【０１２３】
また、端末２００は、サブフレーム内の前方のsTTIに優先度の高いUL信号が割り当てられている場合に、sTTI用の送信電力を確保する。このとき、端末２００は、その確保された送信電力を使用して、サブフレームの後方に割り当てられたsTTIを送信することができる。
【０１２４】
以上により、端末２００は、sTTIのULチャネル用に確保した送信電力を有効に使用することができる。
【０１２５】
以上、動作例１〜３について説明した。
【０１２６】
このように、本実施の形態では、端末２００は、長いTTIのUL信号の送信開始よりも前に、長いTTIの区間（サブフレーム）内で送信されるsTTIのUL信号の割当を指示するDCIの復号が完了した場合、当該長いTTI（サブフレーム）内におけるsTTIのUL信号に対する所望の送信電力を確保する。また、この際、端末２００は、sTTIのチャネルの優先度が長いTTIの優先度よりも高い場合、sTTIのチャネルの送信のための送信電力を確保する。このようにすると、長いTTIのUL信号の送信中であっても、優先度の高いsTTIのUL信号に対して十分な送信電力を確保することができる。また、sTTIのチャネルの送信電力を確保できない場合、端末２００は、長いTTIのUL信号に対して十分な送信電力を割り当てることができる。
【０１２７】
以上より、本実施の形態によれば、TTI長が異なる場合の送信電力の配分を適切に設定することができる。
【０１２８】
なお、本実施の形態において、SPS（Semi persistent schedule）によってsTTIのsPUCSH又はsPDSCHが割り当てられる場合、端末２００は、sTTIのUL信号の送信があるか否かを事前に特定できる。よって、SPSが適用される場合、端末２００は、DCIの復号を待たずに、UL sTTI用に送信電力を確保してもよい。これにより、subframeの後方のsTTIにUL信号が割り当てられた場合でも、当該sTTIのUL信号の優先度が高ければ、端末２００は、UL sTT用に送信電力を予め確保することができる。
【０１２９】
また、本実施の形態において、端末２００毎にDCIの復号に要する時間が異なる場合もある。この場合、DCIの復号に要する時間を端末２００の能力（UE capability）によって定めてもよい。また、基地局１００は、端末２００においてDCIの復号に要する時間が分からない場合、端末２００が自機の能力に応じて、どのsTTIから送信電力を確保できるかを決定してもよい。
【０１３０】
（実施の形態２）
本実施の形態に係る基地局及び端末は、実施の形態１に係る基地局１００及び端末２００と基本構成が共通するので、図２及び図３を援用して説明する。
【０１３１】
本実施の形態では、端末２００がUL信号の優先度に基づいてsTTIに対して送信電力を確保するか否かを判断する場合について詳細に説明する。
【０１３２】
[Dual connectivityの動作]
Dual connectivityでは、MCGのUL送信とSCGのUL送信に対して優先度を決め、送信電力を配分することができる。また、各CG（Cell Group）には、１つのPCell（Primary Cell）またはPScell(Primary Scell)、及び、0、１つ又は複数のSCell（Secondary Cell）が含まれる。Dual connectivityでは、MCGのPcellで送信されるRACH（Random Access Channel）が最も高い優先度であり、続いて、チャネル毎に優先度が以下のように割り当てられる。
RACH > HARQ-ACK=SR > CSI > PUSCH without UCI
【０１３３】
また、MCGとSCGとで同一のチャネルが送信される場合には、SCGのUL送信よりもMCGのUL送信が優先される。
【０１３４】
RACHは、通信の接続又は同期取得のために必要な情報であるので優先度が高い。HARQ-ACKは、受信を誤ると、DLデータの無駄なHARQ再送が発生したり、再送が必要であるのにHARQ再送を行わずに、上位レイヤでの再送が発生したりする可能性があるので、優先度が高い。
【０１３５】
また、DLは、ULよりもデータ量が多いことが予想されるので、DLのデータを優先するには、HARQ-ACK（上りの応答信号）をULデータ（PUSCH：Physical Uplink Shared Channel）よりも優先度を高くすることが望ましい。
【０１３６】
また、PUSCH without UCI（Uplink Control Information）は、ULデータの受信品質が悪くなった場合にはULデータを再送すればよく、システムに大きな影響を与えないため、優先度が低い。
【０１３７】
Dual connectivity では、MCGとSCGとは密な連携はなく、また、ベアラも異なる場合もある。この場合、アプリケーション又はパケットの優先度に応じて、MCGとSCGとを使い分けることが考えられている。したがって、SRは、MCGとSCGとで別々に送信されており、送信電力が逼迫している場合でも、SRと他のUL信号とが同時送信されることがあり得た。そのため、SRは、HARQ-ACKと同等に優先度が高くなっている。
【０１３８】
本開示では、複数のTTI長を同時にサポートする際、各TTIをDual connectivityにおけるCell groupと見立てて各TTI間の電力配分を行う方法について説明している。ところで、sTTIとTTIの同時送信において、同一CC(Component carrier)でsTTIのUL信号とTTIのUL信号とを同時送信する際に送信電力が逼迫している場合には、基地局のスケジューラは、sTTI及びTTIの何れかを自由に使用することが考えられる。この場合、UEがsTTI又はTTIでSRを送信すると、基地局がUEをスケジューリングし、sTTI、TTI、又はその両方にデータを割り当てる動作を行う。
【０１３９】
このような動作を前提とすると、UEは、sTTI及びTTIでSRを同時に送信しないようにできる。また、同一CC内の同時送信であるので、TTI又はsTTIのHARQ-ACKとSRとが同時に発生した場合、HARQ-ACKの送信に用いるPUCCH又はsPUCCHの送信位置を、SRの送信位置に変更する方法により、UEは、HARQ−ACKとSRとを同時送信できる。
【０１４０】
さらに、ULデータを送信する場合、UEは、sTTIのsPUSCH又はTTIのPUSCHにMACレイヤの情報として、UEのバッファ状態を通知するBSR(Buffer status report)を送信することにより、SRの送信の代わりとすることもできる。
【０１４１】
UEは、これらの方法のうち、各チャネルに割り当てられる送信電力に基づいて、SRの品質を保てる方法を選択してSRの情報を送信する。しかしながら、どの方法であってもsTTIのUL信号とTTIのUL信号との同時送信によって送信電力が逼迫し、SRの品質が保てない場合、UEは、SRを後方のサブフレームで送信する。このようにすると、品質が低いSRを送信することがなくなり、SRの信頼性を向上させることができる。また、SRの割り込みにより、他のチャネルの品質を落とすことを抑制できる。
【０１４２】
以上より、sTTIとTTIとの同時送信では、SRの優先度をHARQ-ACKの優先度よりも低くすることができる。この場合のULチャネルの優先度は次のように定めることができる。
RACH>HARQ-ACK > SR > CSI > PUSCH without UCI
【０１４３】
また、CSIは、回線品質の報告である。Dual connectivity では、CSIは、PUSCH without UCIよりも優先度が高い。しかし、同一CCでsTTIのUL信号とTTIのUL信号とを同時送信する場合、CSIはsTTIとTTIとで共有することもできる。sTTIでは、時間当たりのTTI数が多くなり、CSIを送信する頻度を向上させることができる。これにより、基地局は、CSIを正しく受信できなくても、次に送信されるCSIで修正することが容易なる。
【０１４４】
そこで、ULデータ（PUSCH）の優先度をCSIよりも高くすることができる。この場合、ULチャネルの優先度は次のように定めることができる。
RACH>HARQ-ACK > SR > PUSCH with CSI> PUSCH without UCI > CSI on PUCCH
【０１４５】
また、同一CCでsTTIのUL信号とTTIのUL信号とを同時送信している場合、回線品質が劣化し、再送が起きた場合に影響が大きいのはTTIである。これは、TTIにおいて、再送時に使用するリソースがsTTIよりも大きいからである。
【０１４６】
したがって、sTTIとTTIとの同時送信では、TTIを優先することが考えられる。また、sTTIを使用しているが、回線品質状況が悪化してきてTTIに切り替える場合は、TTIを優先することが好ましい。しかしながら、sTTIで低遅延が要求されるパケット（遅延時間を短くするべきパケット）を送信し、TTIで遅延が許されるパケットを送信している場合、sTTIを優先することが好ましい。
【０１４７】
なお、TTI長が異なる複数のTTIにおけるTTI長毎の優先度は、システムで予め定めてもよく、基地局から端末に何れのTTI長のTTIを優先するか通知してもよい。
【０１４８】
また、チャネルの種類で優先度を決定したのち、同一チャネルの場合、チャネル毎にTTIとsTTIの何れを優先するか定めてもよい。
【０１４９】
［動作例］
ULチャネルの優先度を次のように定める。
RACH>HARQ-ACK > SR > PUSCH with CSI> PUSCH without UCI > CSI on PUCCH
【０１５０】
そして、端末２００（送信電力決定部２１１）は、長いTTIの区間内で送信されるsTTIのUL信号の優先度が長いTTIのUL信号の優先度よりも高い場合、長いTTI（例えば、サブフレーム）内におけるsTTIのUL信号に対する所望の送信電力を確保する。
【０１５１】
また、端末２００は、長いTTIのUL信号の優先度とsTTIのUL信号の優先度とが同一の場合（つまり、同一チャネルの場合）、長いTTI（サブフレーム）内において、長いTTIのUL信号に対して所望の送信電力を優先して割り当てる。
【０１５２】
以下、この動作例における端末２００の動作について説明する。
【０１５３】
(1) sTTIにACK/NACK（HARQ-ACK）が割り当てられている場合
端末２００は、TTIのPUSCH with CSI、PUSCH without UCI、PUCCHで送信されるCSIよりも、sTTIのsPUCCH又はsPUSCHで送信されるACK/NACKを優先して送信電力を割り当てる。例えば、実施の形態１の動作に従うと、端末２００は、Subframeの境界までにsPDSCHの割り当てを指示するDCIを受信できると、sTTI用の送信電力を確保する。一方、端末２００は、TTIにRACH又はACK/NACKが割り当てられた場合（つまり、同一チャネルの場合）、TTIのUL信号を優先して送信電力を割り当てる。
【０１５４】
(2) sTTIにsPUSCH with CSIが割り当てられている場合
端末２００は、TTIのPUSCH without UCI又はPUCCHで送信されるCSIよりも、sTTIのsPUSCH with CSIを優先して送信電力を割り当てる。例えば、実施の形態１の動作に従うと、端末２００は、Subframeの境界までにsPUSCHの割り当てを指示するDCIを受信できると、sTTI用の送信電力を確保する。一方、端末２００は、TTIにRACH、ACK/NACK、PUSCH with CSIが割り当てられた場合、TTIのUL信号を優先して送信電力を割り当てる。
【０１５５】
(3) sTTIにsPUSCH without CSIが割り当てられている場合
端末２００は、TTIのPUCCHで送信されるCSIよりも、sPUSCH without CSIを優先して送信電力を割り当てる。例えば、実施の形態１の動作に従うと、端末２００は、Subframeの境界までにsPUSCHの割り当てを指示するDCIを受信できると、sTTI用の送信電力を確保する。一方、端末２００は、TTIにRACH、ACK/NACK、PUSCH with CSI、PUSCH without CSIが割り当てられた場合、TTIのUL信号を優先して送信電力を割り当てる。
【０１５６】
このように、本実施の形態によれば、端末２００は、UL信号（ULチャネル）の優先度に応じて、sTTIの送信電力を予め確保するか否かを判断する。つまり、端末２００は、sTTIのチャネルの優先度が長いTTIの優先度よりも高い場合、sTTIのチャネルの送信のための送信電力を確保する。このようにすると、長いTTIのUL信号の送信中であっても、優先度の高いsTTIのUL信号に対して十分な送信電力を確保することができる。以上より、本実施の形態によれば、TTI長が異なる場合の送信電力の配分を適切に設定することができる。
【０１５７】
以上、本開示の各実施の形態について説明した。
【０１５８】
なお、上記実施の形態では、TTI長が異なる複数のTTIの一例として、長いTTIをLTEのサブフレームとし、短いTTIをLTE-Advancedで検討されているsTTIと仮定した場合について説明した。しかし、TTI長が異なる複数のTTIは、これらに限定されず、例えば、長いTTIとsTTIとをそれぞれ異なるRATで用いるTTIとしてもよい。RATとしては、大容量通信であるeMBB（enhanced mobile broadband）、超高信頼性、低遅延通信であるURLLC（Ultra-relaible and low latency communications）、多端末間通信であるmMTC(Massive machine-type communications)などが考えられている。また、LTE、LTE-AdvancedもRATの１つと考えることもできる。RAT毎に適するTTI長が異なるので、RATに応じてTTI長が異なることが考えられる。また、RAT内の複数のシステム毎に、TTI長が異なることも考えられる。また、上記実施の形態では、1msecの間隔をサブフレームと呼んでいるが、これに限定されるものではなく、異なるRATでは、基準となる1msec間隔を他の名称で呼ぶこともあり得る。
【０１５９】
また、上記実施の形態において、長いTTI及びsTTIは、物理上、同じcomponent carrierに割り当てられてもよく、異なるcomponent carrierに割り当てられてもよい。
【０１６０】
また、長いTTIを使用するシステムはサブキャリア間隔が狭く、symbol間隔が長いシステムであり、短いTTI（sTTI）を使用するシステムは、サブキャリア間隔が広く、symbol間隔が短いシステムとしてもよい。LTE、LTE-Advancedでは、サブキャリア間隔が15 KHzでNormal CPの場合、1msecを14symbolに分割している。例えば、サブキャリア間隔が60kHzであると、symbol長を短く設定することができ、1msecあたりに収容されるsymbol数が多くなる。この場合、TTI長も短く設定することが容易となる。したがって、サブキャリア間隔が狭い場合には長いTTIを使用し、サブキャリア間隔が広い場合には短いTTIを使用し、それらを同時に送信する端末において、上記実施の形態を適用することができる。
【０１６１】
また、上記実施の形態において、TTI（長いTTI）が1msの場合について説明したが、TTI長は、これに限定されるものではなく、TTI長が異なるTTIを用いて同時にUL信号が送信される場合に、上記実施の形態を適用することができる。
【０１６２】
また、上記実施の形態では、本開示の一態様をハードウェアで構成する場合を例にとって説明したが、本開示はハードウェアとの連携においてソフトウェアで実現することも可能である。
【０１６３】
また、上記実施の形態の説明に用いた各機能ブロックは、典型的には、入力端子および出力端子を有する集積回路であるＬＳＩとして実現される。集積回路は、上記実施の形態の説明に用いた各機能ブロックを制御し、入力端子と出力端子を備えてもよい。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１６４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１６５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６６】
本開示の端末は、第１TTI（Transmission Time Interval）の上り信号又は前記第１TTIよりもTTI長が短い第２TTIの上り信号の割当を指示する下り制御情報を受信する受信部と、前記第１TTIの上り信号及び前記第２TTIの上り信号の送信電力をそれぞれ決定する送信電力決定部と、前記下り制御情報に基づいて、前記決定された送信電力で前記第１TTIの上り信号及び前記第２TTIの上り信号を送信する送信部と、を具備し、前記送信電力決定部は、前記第１TTIの上り信号の送信開始よりも前に、当該第１TTIの区間内で送信される前記第２TTIの上り信号の割当を指示する前記下り制御情報の復号が完了した場合、当該第１TTI内における前記第２TTIの上り信号に対する所望の送信電力を確保する。
【０１６７】
本開示の端末において、前記送信電力決定部は、TA（Timing Advance）の値に基づいて、前記第２TTIの上り信号に対して送信電力を確保するか否かを判断する。
【０１６８】
本開示の端末において、前記送信電力決定部は、前記第１TTIの区間内に複数の前記第２TTIの上り信号の送信が発生する場合、前記複数の第２TTIの上り信号のうち、前記所望の送信電力が最も高い信号を基準として、前記複数の第２TTIの上り信号に対する送信電力を割り当てる。
【０１６９】
本開示の端末において、前記送信電力決定部は、前記第２TTIの上り信号に対して確保した送信電力を、前記第１TTIの区間で発生する前記第２TTIの他の上り信号に対して割り当てる。
【０１７０】
本開示の端末において、前記第２TTIの他の上り信号は、SR（Scheduling Request）である。
【０１７１】
本開示の端末は、第１TTI（Transmission Time Interval）の上り信号又は前記第１TTIよりもTTI長が短い第２TTIの上り信号の割当を指示する下り制御情報を受信する受信部と、前記第１TTIの上り信号及び前記第２TTIの上り信号の送信電力をそれぞれ決定する送信電力決定部と、前記下り制御情報に基づいて、前記決定された送信電力で前記第１TTIの上り信号及び前記第２TTIの上り信号を送信する送信部と、を具備し、前記送信電力決定部は、前記第１TTIの区間内で送信される前記第２TTIの上り信号の優先度が前記第１TTIの上り信号の優先度よりも高い場合、前記第１TTI内における前記第２TTIの上り信号に対する所望の送信電力を確保する。
【０１７２】
本開示の端末において、前記第１TTIの上り信号の優先度と前記第２TTIの上り信号の優先度とが同一の場合、前記送信電力決定部は、前記第１TTI内において前記第１TTIの上り信号に対して所望の送信電力を優先して割り当てる。
【０１７３】
本開示の通信方法は、第１TTI（Transmission Time Interval）の上り信号又は前記第１TTIよりもTTI長が短い第２TTIの上り信号の割当を指示する下り制御情報を受信する工程と、前記第１TTIの上り信号及び前記第２TTIの上り信号の送信電力をそれぞれ決定する工程と、前記下り制御情報に基づいて、前記決定された送信電力で前記第１TTIの上り信号及び前記第２TTIの上り信号を送信する工程と、を有し、前記第１TTIの上り信号の送信開始よりも前に、当該第１TTIの区間内で送信される前記第２TTIの上り信号の割当を指示する前記下り制御情報の復号が完了した場合、当該第１TTI内における前記第２TTIの上り信号に対する所望の送信電力を確保する。
【０１７４】
本開示の通信方法は、第１TTI（Transmission Time Interval）の上り信号又は前記第１TTIよりもTTI長が短い第２TTIの上り信号の割当を指示する下り制御情報を受信する工程と、前記第１TTIの上り信号及び前記第２TTIの上り信号の送信電力をそれぞれ決定する工程と、前記下り制御情報に基づいて、前記決定された送信電力で前記第１TTIの上り信号及び前記第２TTIの上り信号を送信する工程と、を有し、前記第１TTIの区間内で送信される前記第２TTIの上り信号の優先度が前記第１TTIの上り信号の優先度よりも高い場合、前記第１TTI内における前記第２TTIの上り信号に対する所望の送信電力を確保する。
【産業上の利用可能性】
【０１７５】
本開示の一態様は、移動通信システムに有用である。
【符号の説明】
【０１７６】
１００  基地局
１０１  DCI生成部
１０２，２０８  誤り訂正符号化部
１０３，２０９  変調部
１０４，２１０  信号割当部
１０５，２１２  送信部
１０６，２０１  受信部
１０７，２０２  信号分離部
１０８  ACK/NACK受信部
１０９，２０３  復調部
１１０，２０４  誤り訂正復号部
２００  端末
２０５  誤り判定部
２０６  ACK/NACK生成部
２０７  DCI受信部
２１１  送信電力決定部
【図１】
2018030069.tif 000006
【図２】
2018030069.tif 000007
【図３】
2018030069.tif 000008
【図４Ａ】
2018030069.tif 000009
【図４Ｂ】
2018030069.tif 000010
【図５Ａ】
2018030069.tif 000011
【図５Ｂ】
2018030069.tif 000012
【図６】
2018030069.tif 000013
【図７】
2018030069.tif 000014
【図８】
2018030069.tif 000015
【国際調査報告】
2018030069.tif 000016
2018030069.tif 000017
2018030069.tif 000018
2018030069.tif 000019